(57)【特許請求の範囲】
【請求項１】
同期復調器であって：
電源入力を有する出力ドライバ段；および、
結合変圧器であって、当該結合変圧器における第１インダクタが、前記電源入力と同期変調器の電源端子との間に直列に動作可能に結合され、前記出力ドライバ段の負荷電流の変動を検出する、結合変圧器；
を備え、
前記出力ドライバ段は：
第１トランジスタおよび第２トランジスタを有するプッシュ・プル出力ドライバ；
中央タップ変圧器であって、前記第１トランジスタが中央タップ巻線の一方の端子を駆動し、前記第２トランジスタが前記中央タップ巻線の第２端子を駆動する、中央タップ変圧器；
サブキャリアで前記出力ドライバ段の信号を変調することによって導出された受信信号の該サブキャリアに対応する、前記第１インダクタを通過する電流に応答して選択的に電圧を発生するように動作可能に結合された第２インダクタ；
を含む。同期復調器。
【請求項２】
前記第２インダクタに並列であり、バンドパス・フィルタを形成するコンデンサを更に含むことを特徴とする請求項１記載の同期復調器。
【請求項３】
前記出力ドライバ段に結合されたアンテナを更に含む請求項１または２記載の同期復調器。
【請求項４】
同期復調器であって：
電源入力を有する出力ドライバ段；
結合変圧器であって、当該結合変圧器における第１インダクタが、前記電源入力と前記同期変調器の電源端子との間に直列に動作可能に結合され、前記出力ドライバ段の負荷電流の変動を検出する、結合変圧器；および
前記出力ドライバ段に結合されたアンテナ；
を備え、前記負荷電流中の変動は、サブキャリアで前記出力ドライバ段の信号を変調することによって導出された受信信号の該サブキャリアに対応する、同期復調器。
【請求項５】
前記出力ドライバ段はクラスＢ，Ｃ，およびＤ増幅器のうちの少なくとも１つを備えることを特徴とする請求項４記載の同期復調器。
【発明の詳細な説明】
発明の背景
本発明は、一般的に、無線周波数変調技法に関し、更に特定すれば、無線周波数信号の同期復調に関するものである。
最近における非接触クレジット・カードまたはスマートカード普及度および使用度の上昇により、かかるスマートカード・システムの有効性およい信頼性の高い動作を有することの重要性が力説されることとなった。典型的なスマートカード・システムは、スマートカード端末即ちリーダとポータブル・スマートカードとを有し、リーダ上のアンテナとスマートカード上のアンテナとを通じた磁界の結合によって、リーダからポータブル・スマートカードに給電する。リーダは、典型的に、無線周波数信号を送信し、これがスマートカードによって受信され、スマートカード内部の電子回路に給電するために用いられる。スマートカードは、無線周波数信号からクロックを復元し、このクロックを用いて、無線周波数信号上にデータを変調するために用いるサブキャリアを形成する。この変調無線周波数信号は、リーダによって受信される。リーダは、この変調無線周波数信号を復調し、符号化データを抽出する。従来、スマートカードがリーダに送信した符号化データを復調するために、種々の技法が用いられている。
典型的に、リーダは、出力アンテナを介して、ＲＦキャリアを送信する。加えて、リーダには、データ変調ＲＦキャリアを受信するために、キャリア除去同調回路(carrier rejection tuned circuit)が当該リーダのアンテナに取り付けられている。この構成は、キャリア内の電力を除去するには本来高い「Ｑ」フィルタが必要となるので、厳格かつ正確な同調を必要とする。このため、リーダ・システムのコスト上昇を招く。時間と共に周波数調節はドリフトするため、適正な動作を確保するためには不断の再調節が必要である。
加えて、キャリア除去同調回路は、受信ＲＦ信号における二重側波帯(double sideband)の一方の側波帯のみを通過させる。その結果、少なくとも６ｄＢの損失が発生し、このため同調回路によって復元されるＲＦ信号の振幅は非常に小さくなり、典型的に、約２．０ミリボルト未満となる。その結果、信号対ノイズ比が小さくなり、変調ＲＦキャリアからデータを精度高く復元することが困難となる。
更に、キャリア除去同調回路は一方の側波帯のみを復元するので、位相変調ファクタを生じ、これが受信した変調ＲＦ信号の位相を復元するのを困難とし、そのためにスマートカードがリーダに送信したデータの復元が難しくなる。
したがって、ＲＦキャリア周波数に同調するために厳格な調節を必要とせず、位相変調を生ずることなく、しかもカードからの送信信号から大きな信号を復元する復調方法を有することが望ましい。
【図面の簡単な説明】
第１図は、本発明によるスマート・カード・システムを概略的に示す。
第２図は、本発明による第１図のシステムの波形を概略的に示す。
第３図は、本発明による同期復調回路を概略的に示す。
図面の詳細な説明
第１図は、受信した変調無線周波数（ＲＦ）信号の一部であるデータ信号を同期的に復調する、スマート・カード・システム１００を概略的に示す。システム１００は、ポータブル・スマートカード１０１と通信する、スマートカード端末即ちリーダ１０２を含む。リーダ１０２は、出力アンテナ２１を駆動するＲＦ送信機，およびアンテナ２１から変調ＲＦ信号を受信する同期復調器１０を含む。
第２図は、第１図のシステムの波形を概略的に示す。第１図および第２図における同様の素子は、同一素子番号を有する。波形１０６は、リーダ１０２がスマートカード１０１に送信するＲＦキャリアを表す。波形１０７は、スマートカード１０１が発生し、リーダ１０２に送信されるベースバンド・データ信号を表す。波形１０８は、スマートカード１０１が波形１０６のＲＦキャリア信号を受信し、波形１０６で示す信号からクロックを抽出し、クロックをサブキャリア周波数に分割した後に、スマートカード１０１が発生するサブキャリア信号を表す。典型的に、ＲＦキャリアは約１３．５６ＭＨｚであり、サブキャリア信号は約８４７．５ｋＨｚである。波形１０９は、波形１０８に示すサブキャリアを、波形１０７に示すベースバンド・データによって変調することによって形成される変調サブキャリアを示す。波形１１０は、リーダ１０２が受信する変調ＲＦ信号を表す。
第３図は、スマートカード１０１が形成した変調ＲＦ信号を受信する同期復調器１０を、スマートカード１０１にＲＦキャリアを送信するために用いる他の素子と共に概略的に示す。第１図、第２図および第３図における同様の素子は、同一の素子番号を有する。発振器１１は、送信ＲＦキャリアを発生するために用いられる、例えば、１３．５６ＭｈｚのＲＦ周波数を形成する。発振器１１によって形成されたＲＦ周波数は、増幅器入力１５に印加される。増幅回路１２はＲＦ周波数を受信し、これを出力ドライバ回路１３に結合し、アンテナ２１を駆動することによって、送信ＲＦキャリア内において電力をスマートカード１０１に送信する。
増幅回路１２は、増幅器駆動トランジスタ１９を有する。そのベースはＲＦ周波数を受信するための入力１５に接続され、エミッタは抵抗３３を介して電力返流端子(power return)３４に結合され、コレクタは増幅器結合変圧器１８の一方側に結合され、変圧器１８をＲＦ周波数で切り替える。変圧器１８の別の端子は、電源端子３１に接続されている。変圧器１８は、増幅回路１２を分離し、ＲＦ周波数を出力ドライバ回路１３に結合する。
回路１３は、プッシュ・プル回路，および出力インピーダンス整合変圧器１７を含む。プッシュ・プル回路は、変圧器１７の対向する端子に接続された、第１プッシュ・プル駆動トランジスタ１４および第２プッシュ・プル駆動トランジスタ１６を有する。変圧器１７は、アンテナ２１のインピーダンスをトランジスタ１４，１６に整合する。トランジスタ１４は、そのベースが変圧器１８の一方の端子に接続されＲＦ周波数を受信し、そのエミッタが抵抗３６を介して返流端子３４に結合され、そのコレクタが変圧器１７に接続され、変圧器１７の一方側をＲＦ周波数で駆動する。トランジスタ１６は、そのベースが変圧器１８の別の出力に接続され、そのエミッタが抵抗３７を介して返流端子３４に接続され、そのコレクタが変圧器１７の第２入力に接続され、変圧器１７をＲＦ周波数で駆動する。中央端子２３は、変圧器１７の電源入力として機能し、結合変圧器２６の直列抵抗３８およびインダクタ２４を介して、電源端子３１に結合されている。変圧器１７の二次巻線は、アンテナ２１に接続され、アンテナ２１を十分なエネルギで駆動し、カード１０１のアンテナ１０５に接続されている電子回路に給電する。
発振器１１からのＲＦ周波数がトランジスタ１４，１６に印加されると、電流Ｉ0が端子２３およびインダクタ２４を通過する。スマートカード１０１がＲＦキャリアを変調していない場合、電流Ｉ0は、第２図の波形１０６に示すＲＦキャリアの波形および周波数に一致する波形および周波数を有する。
スマートカード１０１がアンテナ２１からＲＦ信号を受信した後、スマートカード１０１は、ＲＦキャリアをデータ符号化サブキャリアで変調し、波形１０６に示す変調ＲＦ信号を形成する。この変調ＲＦ信号はアンテナ２１によって受信され、二次巻線に、したがって変圧器１７の一次巻線に再度結合される。トランジスタ１４，１６は、変圧器１７の一次巻線に結合される変調ＲＦ信号と同じ周波数で切り替えるので、送信ＲＦキャリアが変調ＲＦ信号から除去され、これによって、スマートカード１０１が供給したデータ変調サブキャリア信号が残る。変調ＲＦの双方の側波帯が保存され、その中に含まれるエネルギも保存されるので、これによって、より大きな振幅信号、即ち、より高い信号対ノイズ比を与え、復元されるデータ変調サブキャリア信号への位相変調の混入を防止する。このデータ変調サブキャリア信号は、スマートカード１０１が形成するデータ変調サブキャリアと同じ周波数および位相で電流Ｉ0を変調する。その結果、変圧器１７の一次センタータップ巻線およびトランジスタ１４，１６のスイッチングにより、受信した変調ＲＦ信号からＲＦキャリアを復調し、データ変調サブキャリアのみを残す。こうして、１３，５６ＭｈｚのＲＦキャリアが除去され、８４７．５ｋＨｚのデータ変調サブキャリア信号が残る。その結果、電流Ｉ0も、データ変調サブキャリア信号によって変調される。
電流Ｉ0がインダクタ２４を通過すると、電流Ｉ0の値および周波数が変圧器２６の二次巻線即ちインダクタ２５に結合される。インダクタ２５およびコンデンサ３９がバンドパス・フィルタ２７を形成し、これを、例えば、８４７．５ｋＨｚのデータ変調サブキャリア信号に同調する。フィルタ２７は、典型的に、約４０未満の「Ｑ」を有し、これによって、データ変調サブキャリア信号において発生する１８０度の位相シフトに対して十分な帯域幅を可能とする。その結果、同期復調出力３２は、スマートカード１０１が形成したデータ変調サブキャリア信号を表す、出力信号を有することになる。典型的に、同期変調出力３２は、少なくとも５００ミリボルトの信号振幅を有し、精度の高いデータの復元を確保するのに役立つ。
出力３２は、増幅器２８の入力に結合される。増幅器２８は、追加の利得および整形を行うために用いられ、デジタル・ロジック・ブロック２９が利用するデジタル信号を与える。デジタル・ロジック・ブロック２９は、典型的に、変調サブキャリア信号からデータを復元する。かかるデジタル復元回路は、当業者には既知である。また、デジタル・ロジック・ブロック２９は、スマートカード１０１から受信した信号上で、別のデジタル論理機能を行うことも可能である。
復調器１０は、データを用いてキャリアの位相シフト変調を行う代わりに、データを用いてサブキャリアをオンおよびオフに切り替えることによって発生した受信信号を復調するための使用も可能であることを注記しておく。加えて、出力ドライバ回路１３は、変圧器２６のような結合変圧器を有し、これが電源ラインと直列に出力ドライバ回路に結合されており、出力ドライバ回路に供給される負荷電流のばらつきを検出するのであれば、出力ドライバ回路がクラスＢ，ＣまたはＤの増幅器を有することも可能である。これら負荷電流のばらつきは、結合変圧器間に結合される電流において検出される。
以下の説明から、新規な同期復調回路および方法が提供されたことが認められよう。出力変圧器および出力トランジスタにおいて変調ＲＦ信号からＲＦキャリアを復調することによって、受信信号に位相の曖昧さが混入しないことを確実とする効果がある。出力電流の一部をバンドパス・フィルタに結合することにより、出力電流からＲＦ信号を除去し、更に入力フィルタを介して、データ信号を送信するために用いたのと同じ位相および周波数と受信データ信号を結合する。その結果、受信データ信号には、位相変動がなく、デジタル・ロジックによって容易に復元される。この同期復調技法により、受信ＲＦ変調キャリア信号からデータ信号を復元する際に必要な回路量は大幅に減少する。
【図１】
0004053611.tif 000002
【図２】
0004053611.tif 000003
【図３】
0004053611.tif 000004